(57)【要約】【課題】  膣口と肛門および臀裂部などに密着しやすい生理用ナプキンを提供する。【解決手段】  生理用ナプキン１は、液吸収層を有するナプキン本体２の肌側表面に、液透過性シートで形成された表面構成要素３を有している。表面構成要素３によって隆起部４１が形成されている。隆起部４１は前方と後方において立ち上がり基端の横方向の間隔が広く、高さ寸法が低くなっており、膣や尾てい骨周辺に密着しやすくなっている。肛門対向部およびその後方では、隆起部４１は立ち上がり基端の横方向の間隔が狭く、高さ寸法が高く形成されて、臀裂部の溝などに密着しやすくなっている。【選択図】図１
2006181218.tif 000002
【特許請求の範囲】
【請求項１】
液を吸収保持する液吸収層を有するナプキン本体と、前記ナプキン本体の肌側表面に設けられた隆起部とを有する生理用ナプキンにおいて、
前記隆起部は、ナプキン本体の肌側表面において横方向に間隔を開けた立ち上がり基端を有して前記肌側表面から離れる方向へ隆起しており、
前記隆起部は、前記立ち上がり基端の前記間隔が広い個所と、前記立ち上がり基端の前記間隔が狭い個所とを有しており、前記隆起部の前記肌側表面からの高さ寸法は、前記間隔の広い個所で低く、前記間隔の狭い個所で高いことを特徴とする生理用ナプキン。
【請求項２】
前記立ち上がり基端の前記間隔は、前記隆起部の前部において広く、それよりも後方において狭い請求項１記載の生理用ナプキン。
【請求項３】
前記立ち上がり基端の前記間隔は、前記隆起部の前部において広く、それよりも後方において狭く、さらにそれよりも後方において広い請求項１記載の生理用ナプキン。
【請求項４】
前記立ち上がり基端の横方向の間隔は、段階的に変化している請求項１ないし３のいずれかに記載の生理用ナプキン。
【請求項５】
前記立ち上がり基端の横方向の間隔は、連続的に変化している請求項１ないし３のいずれかに記載の生理用ナプキン。
【請求項６】
液を吸収保持する液吸収層を有するナプキン本体と、前記ナプキン本体の肌側表面に設けられた隆起部とを有する生理用ナプキンにおいて、
前記隆起部は、ナプキン本体の肌側表面において横方向に間隔を開けた立ち上がり基端を有して前記肌側表面から離れる方向へ隆起している個所と、ナプキン本体の肌側表面から独立している個所を有しており、
前記隆起部の前記肌側表面からの高さ寸法は、前記立ち上がり基端を有する個所で低く、独立している前記個所で高いことを特徴とする生理用ナプキン。
【請求項７】
前記立ち上がり基端を有する個所は、隆起部の前方に位置し、独立している前記個所はそれよりも後方に位置している請求項６記載の生理用ナプキン。
【請求項８】
前記隆起部は、縦方向へ弾性収縮力を発揮する弾性機能を有しており、前記弾性機能によって、ナプキン本体は前端と後端とが互いに接近し且つ肌側表面が窪むように変形するとともに、前記弾性機能によって、隆起部が前記肌側表面から立ち上がる請求項１ないし７のいずれかに記載の生理用ナプキン。
【請求項９】
液を吸収保持する液吸収層を有するナプキン本体と、前記ナプキン本体の肌側表面に設けられた隆起部とを有する生理用ナプキンにおいて、
前記隆起部には、縦方向へ弾性収縮力を発揮してナプキン本体の肌側表面から立ち上げる弾性部材が設けられており、
前記隆起部は、前記弾性部材が横方向に間隔を開けて配置された個所と、前記弾性部材の横方向の間隔が狭められた個所とを有しており、
前記隆起部の前記肌側表面からの高さ寸法は、前記弾性部材が横方向に間隔を開けて配置された個所で低く、前記弾性部材の横方向の間隔が狭められた個所で高いことを特徴とする生理用ナプキン。
【請求項１０】
前記弾性部材は、隆起部の前方において横方向に間隔を開けて配置され、それよりも後方において弾性部材が交叉して配置されている請求項９記載の生理用ナプキン。
【請求項１１】
液を吸収保持する液吸収層を有するナプキン本体と、前記ナプキン本体の肌側表面に設けられた隆起部とを有する生理用ナプキンにおいて、
前記隆起部には、縦方向へ弾性収縮力を発揮してナプキン本体の肌側表面から立ち上げる弾性部材が設けられており、
前記隆起部は、前記弾性部材が横方向に間隔を開けて配置された個所と、前記弾性部材が縦方向中心線に沿って配置された個所を有しており、
前記隆起部の前記肌側表面からの高さ寸法は、前記弾性部材が横方向に間隔を開けて配置された個所で低く、前記弾性部材が縦方向中心線に沿って配置された個所で高いことを特徴とする生理用ナプキン。
【請求項１２】
前記弾性部材の弾性収縮力により、ナプキン本体は前端と後端とが互いに接近し且つ肌側表面が窪むように変形する請求項９ないし１１のいずれかに記載の生理用ナプキン。
【請求項１３】
前記隆起部は、ナプキン本体と別体に構成されてナプキン本体の肌側表面に固定されている請求項１ないし１２のいずれかに記載の生理用ナプキン。
【請求項１４】
前記ナプキン本体は、液吸収層を覆う表面シートを有しており、この表面シートの一部により前記隆起部が形成されている請求項１ないし１２のいずれかに記載の生理用ナプキン。
【発明の詳細な説明】
【技術分野】
【０００１】
本発明は、ナプキン本体の肌側表面に隆起部が設けられた生理用ナプキンに係り、特に女性の身体の各部位に隆起部が密着しやすく、経血の洩れを防止する効果を発揮しやすい生理用ナプキンに関する。
【背景技術】
【０００２】
生理用ナプキンには、液吸収層を有するナプキン本体と、ナプキン本体の肌側表面から隆起する隆起部とが設けられたものが存在している。
【０００３】
以下の特許文献１に記載の生理用ナプキンは、ナプキン本体となる二次吸収部材の肌側表面に断面がほぼ三角形の一次吸収部材が設けられている。この一次吸収部材は、親水性の発泡体が外カバーで包まれて構成されている。そして、前記一次吸収部材は、生理用ナプキンの前後に渡って同じ断面形状である。
【０００４】
特許文献２に記載の生理用ナプキンは、肌側表面に現れる表面層の中央部分が肌側表面において折り畳まれて突堤が形成されている。この突堤の左右両側部に縦方向に延びる弾性部材が設けられ、この弾性部材の弾性張力によって突堤がナプキン本体の肌側表面から立ち上がる。前記突堤は生理用ナプキンの前後に延び、その幅寸法は均一に構成されている。
【０００５】
特許文献３に記載の生理用ナプキンは、ナプキン本体の肌側表面に、液透過性シートで形成された立体壁が設けられており、この立体壁は断面がＴ字形状である。前記立体壁には、縦方向への収縮力を発揮する弾性部材が設けられており、この弾性部材によってナプキン本体の前縁部と後縁部とを接近させる力が作用し、ナプキン本体が湾曲することで、前記立体壁がナプキン本体の肌側表面から立ち上がる。前記立体壁は、ナプキン本体の前後において同じ幅寸法を有している。
【０００６】
特許文献４に記載の生理用ナプキンは、液吸収層とこの液吸収層の肌側表面に設けられた表面シートとを有しており、液吸収層と表面シートとの間に、吸収体と補強部材とが介在している。そして、表面シートと前記吸収体および前記補強部材とによって、断面がほぼ三角形の隆起部が形成されている。この隆起部は、前端から中央部に向かって幅寸法が徐々に広くなるとともに高さ寸法も徐々に大きくなり、前記中央部から後端に向かって幅寸法が徐々に狭くなるとともに高さ寸法が徐々に小さくなる形状である。
【特許文献１】特表平１１−５１３９２１号公報
【特許文献２】特開平９−３１３５２９号公報
【特許文献３】特開２００２−３２０６３８号公報
【特許文献４】特表２００１−５０４７２７号公報
【発明の開示】
【発明が解決しようとする課題】
【０００７】
前記従来の生理用ナプキンは、いずれもナプキン本体の肌側表面に隆起部が設けられており、この隆起部を身体に密着させることで、経血等の漏れを防止しようというものである。
【０００８】
しかし、女性の股間部の凹凸形状は前後において均一ではなく、その部位によって開き幅や深さが相違する。膣口および大陰唇を有する部位は、比較的浅く且つ開き幅が比較的広い凹部となり、肛門付近およびそれよりも後方では、臀部の皮膚で挟まれた比較的深い臀裂部が形成され、この臀裂部の溝の深さは肛門よりも後方において深くなり、さらに尾てい骨付近に向けて徐々に浅くなる。
【０００９】
また、膣口から排出される経血等を生理用ナプキンの液吸収層に効果的に吸収させるためには、生理用ナプキンを膣口およびその周囲に確実に密着させることが望まれる。
【００１０】
しかし、特許文献１ないし３に記載のものは、いずれも肌側表面に現れる隆起部が、ナプキン本体の前後に渡って均一な幅寸法で形成され、またナプキン本体の肌側表面からの隆起高さも前後に渡って大きく変化するものではない。よって、隆起部は女性の身体の各部位に適合した形状とは言えず、例えば膣口との密着性が低下したり、あるいは肛門およびその後方に延びる臀裂部内に確実に入り込めないなどの問題が生じるおそれがある。
【００１１】
また、特許文献４に記載のものは、隆起部の中央部が最も幅広で且つ最も高さ寸法が大きくなっている。この中央部を、膣口付近に当てると、高さ寸法が大きすぎるために膣口付近に違和感を与えやすく、また前記中央部を臀裂部に当てようとすると、幅寸法が大きすぎて臀裂部の溝に入り込みにくくなる。さらに前記中央部を臀裂部よりも後方の尾てい骨付近に当てようとすると、隆起部が高すぎてナプキン本体と臀部との間に隙間が生じやすい。
【００１２】
本発明は上記従来の課題を解決するものであり、隆起部の幅寸法や立ち上がり寸法を、女性の身体の特徴に対応させて変化させることにより、女性の身体への密着性を高めることが可能な生理用ナプキンを提供することを目的としている。
【課題を解決するための手段】
【００１３】
第１の本発明は、液を吸収保持する液吸収層を有するナプキン本体と、前記ナプキン本体の肌側表面に設けられた隆起部とを有する生理用ナプキンにおいて、
前記隆起部は、ナプキン本体の肌側表面において横方向に間隔を開けた立ち上がり基端を有して前記肌側表面から離れる方向へ隆起しており、
前記隆起部は、前記立ち上がり基端の前記間隔が広い個所と、前記立ち上がり基端の前記間隔が狭い個所とを有しており、前記隆起部の前記肌側表面からの高さ寸法は、前記間隔の広い個所で低く、前記間隔の狭い個所で高いことを特徴とするものである。
【００１４】
本発明では、隆起部の幅寸法の広い個所でその立ち上がり寸法が低く、隆起部の幅寸法の狭い個所でその立ち上がり寸法が高く設定されているため、例えば、立ち上がり寸法の高い個所を臀裂部の深い溝内に密着させやすくなり、幅寸法が広く且つ立ち上がり寸法の低い個所を、膣口およびその周辺、あるいは臀裂部の後方の溝の浅い部分あるいは尾てい骨付近などに密着させやすくなる。
【００１５】
本発明は、好ましくは、前記立ち上がり基端の前記間隔は、前記隆起部の前部において広く、それよりも後方において狭いものである。
【００１６】
上記構成では、例えば、隆起部の前部を膣口またはその周辺に密着させやすく、後部を臀裂部の深い溝内に密着させやすくなる。
【００１７】
あるいは、本発明は、前記立ち上がり基端の前記間隔は、前記隆起部の前部において広く、それよりも後方において狭く、さらにそれよりも後方において広いものである。
【００１８】
上記構成では、例えば、隆起部の前部を膣口またはその周辺に密着させやすく、隆起部の中間部分を臀裂部の深い溝に密着させやすく、隆起部のさらに後方部分を、臀裂部の後方の溝の浅い部分あるいは尾てい骨付近などに密着させやすくなる。
【００１９】
本発明は、前記立ち上がり基端の横方向の間隔が、段階的に変化しているものであってもよいし、または、前記立ち上がり基端の横方向の間隔が、連続的に変化しているものであってもよい。
【００２０】
第２の本発明は、液を吸収保持する液吸収層を有するナプキン本体と、前記ナプキン本体の肌側表面に設けられた隆起部とを有する生理用ナプキンにおいて、
前記隆起部は、ナプキン本体の肌側表面において横方向に間隔を開けた立ち上がり基端を有して前記肌側表面から離れる方向へ隆起している個所と、ナプキン本体の肌側表面から独立している個所を有しており、
前記隆起部の前記肌側表面からの高さ寸法は、前記立ち上がり基端を有する個所で低く、独立している前記個所で高いことを特徴とするものである。
【００２１】
上記第２の本発明では、隆起部の幅寸法が狭く立ち上がり寸法の高い個所が、ナプキン本体と独立して自由に変形できるため、例えばこの個所が臀裂部内に入り込んだ状態でナプキン本体が左右に動いたとしても、隆起部と臀裂部との密着を維持しやすくなる。
【００２２】
本発明では、前記立ち上がり基端を有する個所は、隆起部の前方に位置し、独立している前記個所はそれよりも後方に位置していることが好ましい。
【００２３】
また、本発明は、前記隆起部は、縦方向へ弾性収縮力を発揮する弾性機能を有しており、前記弾性機能によって、ナプキン本体は前端と後端とが互いに接近し且つ肌側表面が窪むように変形するとともに、前記弾性機能によって、隆起部が前記肌側表面から立ち上がるものとして構成することが可能である。
【００２４】
第３の本発明は、液を吸収保持する液吸収層を有するナプキン本体と、前記ナプキン本体の肌側表面に設けられた隆起部とを有する生理用ナプキンにおいて、
前記隆起部には、縦方向へ弾性収縮力を発揮してナプキン本体の肌側表面から立ち上げる弾性部材が設けられており、
前記隆起部は、前記弾性部材が横方向に間隔を開けて配置された個所と、前記弾性部材の横方向の間隔が狭められた個所とを有しており、
前記隆起部の前記肌側表面からの高さ寸法は、前記弾性部材が横方向に間隔を開けて配置された個所で低く、前記弾性部材の横方向の間隔が狭められた個所で高いことを特徴とするものである。
【００２５】
上記第３の本発明も、隆起部に、幅寸法が広く且つ高さ寸法の低い個所と、幅寸法が狭く且つ高さ寸法の高い個所とを形成できる。
【００２６】
例えば、前記弾性部材は、隆起部の前方において横方向に間隔を開けて配置され、それよりも後方において弾性部材が交叉して配置されているものである。
【００２７】
第４の本発明は、液を吸収保持する液吸収層を有するナプキン本体と、前記ナプキン本体の肌側表面に設けられた隆起部とを有する生理用ナプキンにおいて、
前記隆起部には、縦方向へ弾性収縮力を発揮してナプキン本体の肌側表面から立ち上げる弾性部材が設けられており、
前記隆起部は、前記弾性部材が横方向に間隔を開けて配置された個所と、前記弾性部材が縦方向中心線に沿って配置された個所を有しており、
前記隆起部の前記肌側表面からの高さ寸法は、前記弾性部材が横方向に間隔を開けて配置された個所で低く、前記弾性部材が縦方向中心線に沿って配置された個所で高いことを特徴とするものである。
【００２８】
なお、上記の前記弾性部材が縦方向中心線に沿って配置され、とは弾性部材が縦方向中心線の真上に位置しているものに限定するものではなく、弾性部材が縦方向中心線から離れて位置してもよいし、あるいは複数の弾性部材が、縦方向中心線を挟んで短い間隔で平行または非平行に設けられているものであってもよい。
【００２９】
上記第３の本発明および第４の本発明では、前記弾性部材の弾性収縮力により、ナプキン本体は前端と後端とが互いに接近し且つ肌側表面が窪むように変形するものとなる。
【００３０】
また、前記各発明は、前記隆起部は、ナプキン本体と別体に構成されてナプキン本体の肌側表面に固定されているものでもよいし、あるいは、前記ナプキン本体は、液吸収層を覆う表面シートを有しており、この表面シートの一部により前記隆起部が形成されているものであってもよい。
【発明の効果】
【００３１】
本発明は、ナプキン本体の肌側表面に設けられた隆起部が、幅広で低い個所と幅細で高い個所とを有しているため、それぞれの個所の女性の身体の特徴に合わせて設定することにより、生理用ナプキンの各部分を身体に密着させることができ、経血等を液吸収層で確実に保持でき、経血の横漏れや後方漏れを防止しやすくなる。
【発明を実施するための最良の形態】
【００３２】
図１は本発明の第１の実施の形態の生理用ナプキンを示すものであり、外力が作用していない自由状態を示す斜視図である。図２は、前記生理用ナプキンの表面構成要素を除去したナプキン本体のみを平坦な状態に展開した平面図である。図３は図１のＩＩＩ−ＩＩＩ線の断面図、図４は図１のＩＶ−ＩＶ線の断面図、図５は図１のＶ−Ｖ線の断面図、図６は図１のＶＩ−ＶＩ線の断面図である。図７は身体の股間部から臀部にかけて生理用ナプキンが設置された状態を模式的に示す縦断面図である。
【００３３】
以下においては、生理用ナプキン１を構成する各要素の２つの表面のうち、身体に向く表面を「肌側表面」と呼び、反対側の表面を「着衣側表面」と呼ぶ。また、生理用ナプキン１の長手方向を「縦方向」と呼び、前記縦方向と直交する方向を「横方向」と呼ぶ。各要素の寸法は、特に明記しない限り、縦方向に測定した寸法を「長さ寸法」とし、前記横方向に測定した寸法を「幅寸法」と呼ぶ。
【００３４】
また、図１には生理用ナプキン１の前方から後方にかけての各個所を（ａ）ないし（ｇ）で示し、図２では前記各個所に対応する部分を同様に（ａ）ないし（ｇ）で示している。
【００３５】
第１の実施の形態の生理用ナプキン１は、ナプキン本体２と、ナプキン本体２の肌側表面に位置して隆起部を形成する表面構成要素３とを有している。
【００３６】
図３ないし図６に示すように、前記ナプキン本体２は、着衣側表面に位置する液遮断性の裏面シート２１と、その上に設置された液吸収層２２と、前記液吸収層２２を覆う液透過性の表面シート２３とを有している。
【００３７】
図２に示すように、ナプキン本体２は、曲線形状の前縁部４と同じく曲線形状の後縁部５を有している。ナプキン本体２は、その長さ寸法Ｌ１が２８０〜４５０ｍｍの縦長形状である。前記液吸収層２２も縦長形状であり、この液吸収層２２は、前記前縁部４よりもやや後方に位置する曲線形状の前端部２２ａおよび、前記後縁部５よりもやや前方に位置する曲線形状の後端部２２ｂを有している。また液吸収層２２の左右両側端部２２ｃ，２２ｃは、縦方向中心線Ｏｙと平行な直線形状である。ただし、液吸収層２２の左右両側端部２２ｃ，２２ｃの形状は前記実施の形態に限られるものではない。
【００３８】
ナプキン本体２の両側部の形状は、前方において、前記液吸収層２２の両側端部２２ｃ，２２ｃよりも左右両側に突出した前方フラップ部６，６と、前記前方フラップ部６，６よりも後方において左右両側に突出した折り返しフラップ部７，７と、前記折り返しフラップ部７，７よりもさらに後方において、左右両側に突出した後方フラップ部８，８とを有している。前記前方フラップ部６，６と折り返しフラップ部７，７および後方フラップ部８，８では、裏面シート２１と液遮断性の側部シート２４とが重ねられてホットメルト型接着剤により互いに接着されている。
【００３９】
図３ないし図６に示すように、横方向の両側に位置する前記側部シート２４，２４の対向縁部２４ａ，２４ａは、前記液吸収層２２の両側端部２２ｃ，２２ｃよりも内側（縦方向中心線Ｏｙに近い側）に位置している。液吸収層２２の両側部分は、その肌側表面が前記表面シート２３で覆われ、さらにその表面が前記側部シート２４，２４で覆われている。前記側部シート２４，２４の対向縁部２４ａと対向縁部２４ａとで挟まれた領域には、液透過性の前記表面シート２３が現れており、この領域で且つ液吸収層２２が設けられている部分が主な液吸収領域となっている。
【００４０】
図２に示すＸ１は、膣対向基準線であり、この膣対向基準線Ｘ１は、ナプキン本体２の前縁部４から後方へ１００〜２００ｍｍの範囲で、好ましくは前縁部４から後方へ１００〜１４０ｍｍの範囲に位置しており、例えば前記前縁部４から後方へ約１２０ｍｍ離れて位置している。
【００４１】
ここで言う膣対向基準線Ｘ１とは、この生理用ナプキン１を下着に固着させて股間部に装着するときに、ほぼ膣の中心に一致させる目安となる位置を意味している。この目安は、生理用ナプキンを肌側表面から見たときの全体形状や、肌側表面に形成されている圧縮線の形状などの全体のデザインによって誘導するものであるが、この実施の形態のように左右両側に突出する折り返しフラップ部７，７が存在しているときには、通常はこの折り返しフラップ部７，７の縦方向寸法の中心位置が膣口の中心部に対向させる目安となる。この実施の形態では、折り返しフラップ部７，７の中心を通る線を前記膣対向基準線Ｘ１としている。
【００４２】
図２に示すＸ２は、肛門対向基準線であり、前記膣対向基準線Ｘ１を膣口の中心位置に一致させたときに、前記肛門対向基準線Ｘ２が肛門に対向する。この肛門対向基準線Ｘ２は、着用者の身体によって相違するが、通常は前記膣対向基準線Ｘ１から後方へ距離Ｌ２＝３０〜７０ｍｍだけ離れた位置にある。
【００４３】
図２に示すＸ３は、尾てい骨対向基準線である。前記膣対向基準線Ｘ１を膣口の中心位置に一致させたときに、前記尾てい骨対向基準線Ｘ３が、尾てい骨に対向する。この尾てい骨対向基準線Ｘ３は、着用者の身体によって相違するが、通常は前記膣対向基準線Ｘ１から後方へ距離Ｌ３＝１２０〜１８０ｍｍ離れた位置にある。例えば、尾てい骨対向基準線Ｘ３は、膣対向基準線Ｘ１から後方へ１７５ｍｍ離れた位置に設定される。前記ナプキン本体２の後縁部５および前記液吸収層２２の後端部２２ｂは、前記尾てい骨対向基準線Ｘ３よりもさらに後方に位置している。
【００４４】
前記ナプキン本体２は、前記膣対向基準線Ｘ１と前記尾てい骨対向基準線Ｘ３との間の領域が、膣口と肛門さらには臀裂部に対向する。本明細書では、女性の身体のうちの膣口の前方位置から尾てい骨付近にかけての窪みを身体の凹部または溝と呼び、肛門から前記尾てい骨にかけての溝を臀裂部と呼ぶ。
【００４５】
前記ナプキン本体２を構成している前記裏面シート２１は、坪量が２３．５ｇ／ｍ２程度のポリエチレン樹脂などのフィルムであり、好ましくは透湿性のものが使用される。前記液吸収層２２は、粉砕パルプと高吸収性ポリマー（ＳＡＰ）とが混合され、さらに親水性のティッシュペーパ（目付け１８ｇ／ｍ２）で包まれている。粉砕パルプの目付けは４００ｇ／ｍ２程度であり、ＳＡＰの目付けは１２ｇ／ｍ２程度である。前記側部シート２４は、芯部がポリプロピレンで鞘部がポリエチレンの芯鞘型複合合成繊維で形成されたスパンボンド不織布であり、目付けは２２ｇ／ｍ２程度である。
【００４６】
前記表面シート２３は、目付けが２５ｇ／ｍ２程度のスルーエア不織布である。このスルーエア不織布を構成する繊維は、芯部がポリエチレンテレフタレート樹脂で、鞘部がポリエチレン樹脂の芯鞘型の複合合成繊維であり、前記芯部に酸化チタンなどの無機フィラーが混入されたものが使用される。
【００４７】
前記表面構成要素３は、親水性素材である液透過性シート３１を有している。図３などに示すように、前記液透過性シート３１は、最表面に位置する第１の液透過性シート３１ａと、それよりも内側に位置する第２の液透過性シート３１ｂとで構成されている。第１の液透過性シート３１ａと第２の液透過性シート３１ｂは、液の透過を妨げないように、ドット状、スパイラル状あるいはストライプ状などに塗布されたホットメルト型接着剤、またはエマルジョンの状態でスプレー塗工されたホットメルト型接着剤によって互いに接合されている。あるいは、第１の液透過性シート３１ａと第２の液透過性シート３１ｂとが、液の透過を妨げない密度で配列するドット状のエンボス部によって融着接合されているものであってもよい。
【００４８】
前記第１の液透過性シート３１ａと第２の液透過性シート３１ｂは、それぞれ、目付けが２５ｇ／ｍ２程度のスルーエア不織布である。このスルーエア不織布を構成する繊維は、芯部がポリエチレンテレフタレート樹脂で、鞘部がポリエチレン樹脂の芯鞘型の複合合成繊維であり、前記芯部に酸化チタンなどの無機フィラーが混入されたものが使用される。
【００４９】
第１の液透過性シート３１ａと第２の液透過性シート３１ｂは、スルーエア不織布に限られず、ポイントボンド不織布、スパンレース不織布あるいはスパンボンド不織布などの親水性素材であってもよいし、これら不織布を重ね合わせたもので例えばスパンボンド不織布とメルトブローン不織布とスパンボンド不織布とが重ねあわされたものであってもよい。ただし、いずれの不織布も、液の透過性を良好にするために繊維密度が０．１２ｇ／ｃｍ３以下で、目付けが１５〜６０ｇ／ｍ２であることが好ましい。
【００５０】
さらに、前記液透過性シート３１ａ，３１ｂは、多数の液透過孔が形成された樹脂フィルムで形成することもでき、または第１の液透過性シート３１ａを液透過孔を有する前記樹脂フィルムで形成し、第２の液透過性シート３１ｂを、スルーエアなどの不織布で形成してもよい。また、液透過性シート３１にドット状のエンボス加工を施したり、波状に賦形してもよい。あるいは、表面構成要素３を構成する液透過性シート３１が１枚の不織布で構成されていてもよい。
【００５１】
図３ないし図６に示すように、前記液透過性シート３１の両縁部は、接合部３２において互いに接合されている。この接合は、ホットメルト型接着剤による接着固定、または融着接合である。前記接合部３２は、ナプキン本体２の表面シート２３に対面する部分に位置し、且つ接合部３２は縦方向中心線Ｏｙ上において縦方向中心線Ｏｙに沿って位置している。
【００５２】
この実施の形態では、前記液透過性シート３１で構成された表面構成要素３が、ナプキン本体２の肌側表面において、ホットメルト型接着剤によって、表面シート２３に接着固定されている。
【００５３】
図２には、表面シート２３の表面における表面構成要素３の接合領域を便宜上ハッチングを付して示している。前記接合領域では、ホットメルト型接着剤が、表面シート２３の液の透過を妨げないように塗布されている。ホットメルト型接着剤の塗工パターンは、例えばスパイラル状、ドット状あるいはストライプ状である。あるいはエマルジョンの接着剤がスプレー塗工されている。
【００５４】
図２に示すように、前記接合領域は、生理用ナプキン１の前縁部４を起点とする第１の接合領域３３ａ、その後方の第２の接合領域３３ｂ、その後方の第３の接合領域３３ｃ、さらにその後方の第４の接合領域３３ｄ、さらに後縁部５まで延びる第５の接合領域３３ｅに区分されている。
【００５５】
第１の接合領域３３ａでは、接着剤が一定の幅寸法で縦方向に帯状に延びるように塗工されており、その塗工幅はＷ１である。第２の接合領域３３ｂないし第５の接合領域３３ｅは、全て接着剤が一定の幅寸法で縦方向に帯状に延びるように塗工されており、その塗工幅は、第２の接合領域３３ｂでＷ２、第３の接合領域３３ｃでＷ３、第４の接合領域３３ｄでＷ４、第５の接合領域３３ｅでＷ５である。
【００５６】
前記塗工幅の大きさは、Ｗ１＞Ｗ２＞Ｗ３であり、Ｗ３＜Ｗ４＜Ｗ５となるように段階的に変化している。この実施の形態では、Ｗ１＝Ｗ５、Ｗ２＝Ｗ４であるが、Ｗ１とＷ５とが相違し、Ｗ２とＷ４とが相違していてもよい。例えば、Ｗ１とＷ５は２８ｍｍ、Ｗ２とＷ４は１８ｍｍ、Ｗ３は６ｍｍである。Ｗ１とＷ２との差、Ｗ２とＷ３との差、Ｗ５とＷ４との差、およびＷ４とＷ３との差は５ｍｍ以上であることが好ましく、またはその差は大きい方の幅寸法の１０％以上であることが好ましい。また、Ｗ１およびＷ５と、Ｗ３との差は１０ｍｍ以上であることが好ましく、または前記Ｗ３は、Ｗ１およびＷ５の８０％以下であることが好ましく、さらに好ましくは６０％以下である。
【００５７】
この実施の形態では、第１の接合領域３３ａないし第５の接合領域３３ｅが縦方向中心線Ｏｙを挟んで横方向に線対称に形成されている。
【００５８】
図２に示すように、第１の接合領域３３ａと第２の接合領域３３ｂとの境界は、膣対向基準線Ｘ１の位置またはその近傍に設けられている。また、前記境界が膣対向基準線Ｘ１よりもやや前方に設けられていてもよい。その結果、後に詳しく説明するように、表面構成要素３で形成される隆起部４１は、膣対向基準線Ｘ１付近で幅広で且つ高さ寸法が低くなり、膣対向基準線Ｘ１から後方において、隆起部４１は幅寸法が狭く且つ高さ寸法が大きくなる。
【００５９】
第２の接合領域３３ｂと第３の接合領域３３ｃとの境界は、肛門対向基準線Ｘ２の位置またはその近傍に設けられている。あるいは、前記境界は、肛門対向基準線Ｘ２よりもさらに後方に設けられていてもよい。その結果、後に詳しく説明するように、肛門よりも後方に対向する個所において、隆起部４１は幅寸法が最も狭く、且つ高さ寸法が最も大きくなり、この部分が身体の臀裂部に対向できるようになる。
【００６０】
前記第３の接合領域３３ｃの前端は、膣対向基準線Ｘ１よりも後方へ３０〜１８０ｍｍの範囲に設けられることが好ましく、第３の接合領域３３ｃの長さ寸法は３０ｍｍ以上であることが好ましい。
【００６１】
図３ないし図６に示すように、前記表面構成要素３では、第１の液透過性シート３１ａと第２の液透過性シート３１ｂとの間に、中央弾性部材３４が縦方向中心線Ｏｙ上に沿って設けられ、中央弾性部材３４は、第１の液透過性シート３１ａと第２の液透過性シート３１ｂにホットメルト型接着剤などで接合されている。
【００６２】
図１に示すように、中央弾性部材３４は、前端部３４ｃが生理用ナプキン１の前縁部４に位置している。中央弾性部材３４における前記前端部３４ｃからそれよりも後方に位置する前方接続部３４ａまでの部分は、液透過性シート３１と共に、前記第１の接合領域３３ａにおいて、ナプキン本体２の肌側表面から離れないように接合されている。また、中央弾性部材３４は、後端部３４ｄが生理用ナプキン１の後縁部５に位置している。中央弾性部材３４における前記後端部３４ｄからそれよりも前方に位置する後方接続部３４ｂまでの部分は、液透過性シート３１と共に、前記第５の接合領域３３ｅにおいて、ナプキン本体２の肌側表面から離れないように接合されている。
【００６３】
なお、中央弾性部材３４は、前方接続部３４ａと後方接続部３４ｂとの間で、液透過性シート３１に接着固定されている。また、前方接続部３４ａよりも前方および後方接続部３４ｂよりも後方では、中央弾性部材３４が、ナプキン本体２に固定されているが液透過性シート３１に接着固定されていないものであってもよい。これは側部弾性部材３５と液透過性シート３１との関係においても同じである。
【００６４】
図３は、図１および図２における（ａ）の個所の断面を示すものであるが、この個所（ａ）では、前述のように中央弾性部材３４がナプキン本体２の肌側表面から立ち上がらないように固定され、液透過性シート３１が、ナプキン本体２の肌側表面において平坦な状態に折り畳まれている。この折り畳み状態の折り縁部３ａ，３ａとなる部分では、第１の液透過性シート３１ａと第２の液透過性シート３１ｂとの間に、それぞれ側部弾性部材３５が挟まれて、ホットメルト型接着剤などで接合されている。表面構成要素３が折り畳まれた状態において、側部弾性部材３５，３５は、中央弾性部材３４の左右両側に等距離離れて位置し、且つ側部弾性部材３５，３５は中央弾性部材３４と平行に延びている。
【００６５】
それぞれの側部弾性部材３５は、前端部３５ｃが、生理用ナプキン１の前縁部４に位置している。側部弾性部材３５における前記前端部３５ｃからそれよりも後方に位置する前方接続部３５ａまでの部分は、前記第１の接合領域３３ａにおいて、ナプキン本体２の肌側表面から離れないように接合されている。また、それぞれの側部弾性部材３５は、後端部３５ｄが生理用ナプキン１の後縁部５に位置している。そして、側部弾性部材３５における前記後端部３５ｄからそれよりも前方に位置する後方接続部３５ｂまでの部分が、前記第５の接合領域３３ｅにおいて、ナプキン本体２の肌側表面から離れないように接合されている。
【００６６】
それぞれの側部弾性部材３５の前方接続部３５ａは、中央弾性部材３４の前方接続部３４ａよりも後方に位置し、それぞれの前記前方接続部３５ａは、図２に示す第１の接合領域３３ａと第２の接合領域３３ｂとの境界部に位置している。それぞれの側部弾性部材３５の後方接続部３５ｂは、中央弾性部材３４の後方接続部３４ｂよりも前方に位置し、それぞれの前記後方接続部３５ｂは、図２に示す第４の接合領域３３ｄと第５の接合領域３３ｅとの境界部に位置している。
【００６７】
またこの実施の形態以外の構造として、中央弾性部材３４の前方接続部３４ａと側部弾性部材３５の前方接続部３５ａとが同じ位置にあり、中央弾性部材３４の後方接続部３４ｂと側部弾性部材３５の後方接続部３５ｂとが同じ位置にあってもよい。
【００６８】
生理用ナプキン１に外力が作用していないときには、中央弾性部材３４の弾性張力が、前方接続部３４ａと後方接続部３４ｂとの間に作用し、前方接続部３４ａと後方接続部３４ｂとが互いに接近するように引き付けられる。また、それぞれの側部弾性部材３５の弾性張力が、前方接続部３５ａと後方接続部３５ｂとの間に作用し、前方接続部３５ａと後方接続部３５ｂとが互いに接近するように引き付けられる。
【００６９】
その結果、図１に示すように、ナプキン本体２は、前端と後端が接近し且つ肌側表面が凹状となるように変形させられる。また、中央弾性部材３４の前方接続部３４ａと後方接続部３４ｂとの間の部分、および側部弾性部材３５の前方接続部３５ａと後方接続部３５ｂとの間の部分は、ナプキン本体２の肌側表面から離れる。よって、中央弾性部材３４の前方接続部３４ａと後方接続部３４ｂとの間、および側部弾性部材３５の前方接続部３５ａと後方接続部３５ｂとの間では、表面構成要素３を構成する液透過性シート３１が、ナプキン本体２の肌側表面から離れるように立ち上がって、内部が空間（空洞）となる隆起部４１が形成される。この実施の形態では、表面構成要素３のうちの、中央弾性部材３４の前方接続部３４ａと後方接続部３４ｂとの間を隆起部４１と呼ぶ。
【００７０】
中央弾性部材３４の前方接続部３４ａよりも前方では、図３に示したように、表面構成要素３を構成する液透過性シート３１が折り畳まれた状態で、ナプキン本体２の肌側表面から離れないように接合されて前記前方扁平部４２が形成されている。同様に、中央弾性部材３４の後方接続部３４ｂよりも後方では、表面構成要素３を構成する液透過性シート３１が折り畳まれた状態で、ナプキン本体２の肌側表面から離れないようにに接合されて後方扁平部４３が形成されている。
【００７１】
前記隆起部４１の立ち上がり形状は、図２に示す第１の接合領域３３ａないし第５の接合領域３３ｅにおける、接着剤の塗工幅寸法に応じて変化する。
【００７２】
図４は、図１と図２において（ｂ）で示す個所での隆起部４１の立ち上がり形状を断面図で示している。前記個所（ｂ）は、第１の接合領域３３ａ上に位置しており、中央弾性部材３４の前方接続部３４ａよりも後方で、且つそれぞれの側部弾性部材３５の前方接続部３５よりも前方である。
【００７３】
前記個所（ｂ）では、側部弾性部材３５が設けられている部分がナプキン本体２の肌側表面に離れないように接合されて、側部弾性部材３５を有する部分が、隆起部４１の立ち上がり基端４４ａ，４４ａとなる。また中央弾性部材３４はナプキン本体２の肌側表面から離れている。そのため、中央弾性部材３４を有する部分が、隆起部４１の頂部４１ａとなる。この頂部４１ａは、縦方向中心線Ｏｙ上に位置している。
【００７４】
個所（ｂ）での隆起部４１は、前記頂部４１ａからそれぞれの立ち上がり基端４４ａ，４４ａまでの間に、液透過性シート３１が傾斜して延びる側壁部４５ａ，４５ａが形成されている。個所（ｂ）では、前記側壁部４５ａ，４５ａの開き角度をθ１で示している。
【００７５】
個所（ｂ）では、隆起部４１の立ち上がり基端４４ａ，４４ａの横方向の間隔が、図２に示した第１の接合領域３３ａの幅寸法Ｗ１にほぼ一致しており、隆起部４１が幅広である。前記幅寸法Ｗ１が広いために、ナプキン本体２の肌側表面から頂部４１ａまでの高さ寸法は低く、５ｍｍ以上で３０ｍｍ以下であり、好ましくは５ｍｍ以上で１５ｍｍ以下である。また、側壁部４５ａの開き角度θ１は、１２０度以上で１８０度未満が好ましい。
【００７６】
あるいは、他の実施の形態として、前記θ１が９０度以上であってもよい。あるいは、側部弾性部材３５，３５が中央弾性部材３４よりも、ナプキン本体２の肌側表面から離れる位置にあってもよい。この場合、前記θ１の上限は、例えば２７０度程度であり、好ましくは２４０度以下である。
【００７７】
図７に示すように、隆起部４１の個所（ｂ）は、女性の身体５０における膣５１の前方部分に対向する。なお、膣５１は大陰唇が形成されているほぼその領域を意味する。隆起部４１の個所（ｂ）は幅広で高さ寸法が低く、側壁部４５ａの開き角度θ１が大きいため、膣５１に密着しやすく、また膣５１に過大な圧迫感や局部的な加圧力を与えるのを避けることができる。
【００７８】
図５は、図１と図２において、（ｃ）で示す個所での隆起部４１の断面を示している。個所（ｃ）は、図２に示す第２の接合領域３３ｂの縦方向でのほぼ中心であり、側部弾性部材３５の前方接続部３５ａよりも後方である。
【００７９】
個所（ｃ）では、隆起部４１の立ち上がり基端４４ｂ，４４ｂの横方向の間隔が、図２に示す第２の接合領域３３ｂにおける接着剤の塗工幅Ｗ２にほぼ一致している。この個所では、中央弾性部材３４および側部弾性部材３５が、共にナプキン本体２の肌側表面から離れている。また、側部弾性部材３５の前方接続部３５ａが、中央弾性部材３４の前方接続部３４ａよりも後方に位置しているため、ナプキン本体２の肌側表面から中央弾性部材３４までの高さ位置よりも、前記肌側表面から側部弾性部材３５までの高さ位置の方が低くなっている。
【００８０】
その結果、隆起部４１は、中央弾性部材３４を有する部分が頂部４１ａとなり、この頂部４１ａから側部弾性部材３５にかけて、液透過性シート３１により上方側壁部４５ｂ，４５ｂが形成されている。上方側壁部４５ｂは、その横方向の間隔が、ナプキン本体２に向けて徐々に広くなる傾斜壁面となっている。また、それぞれの側部弾性部材３５から立ち上がり基端４４ｂにかけて下方側壁部４５ｃ，４５ｃが形成されている。下方側壁部４５ｃ，４５ｃは、その横方向の間隔が、ナプキン本体２に向けて徐々に狭くなる傾斜側壁部である。図５では、上方側壁部４５ｂの開き角度をθ２で示している。
【００８１】
図５に示す、（ｃ）の個所すなわち第２の接合領域３３ｂ上に位置する隆起部４１では、ナプキン本体２の肌側表面から頂部４１ａまでの高さ寸法は、１５〜４０ｍｍ程度が好ましい。また前記開き角度θ２は、１００度以上で１６０度以下程度が好ましい。
【００８２】
図７に示すように、第２の接合領域３３ｂ上に形成される図５に示す立体形状の隆起部４１は、膣５１の中央付近から肛門５２付近までの範囲で身体に対向する。図５に示すように、隆起部４１の立ち上がり基端４４ｂの横方向の間隔は、図４に示した（ｂ）の個所での立ち上がり基端４４ａの間隔よりも狭くなるため、ナプキン本体２の肌側表面から頂部４１ａまでの高さ寸法が、図４に示す立体形状よりも高くなる。女性の身体５０は、膣５１から肛門５２までの間の部分が、大陰唇を有する膣５１に比べてやや深い凹部となり、また皮膚の開き角度も膣５１に比べて浅くなる。よって、図５に示す立体形状の隆起部４１が身体の前記凹部内に密着しやすくなる。
【００８３】
図６は、図１と図２において（ｄ）で示す個所での、隆起部４１の立体形状を断面図で示している。（ｄ）の個所は、図２に示す第３の接合領域３３ｃの縦方向のほぼ中心である。
【００８４】
前記個所（ｄ）では、隆起部４１の立ち上がり基端４４ｃの横方向の間隔が、図２に示す第３の接合領域３３ｃにおける接着剤の塗工幅Ｗ３とほぼ一致している。そして、隆起部４１の立体形状は、図５と同様に頂部４１ａと、上方側壁部４５ｂ，４５ｂおよび下方側壁部４５ｃ，４５ｃを有している。
【００８５】
ただし、立ち上がり基端４４ｃの横方向の間隔が、個所（ｃ）における立ち上がり基端４４ｂの横方向の間隔よりも狭くなるため、図６におけるナプキン本体２の肌側表面から頂部４１ａまでの高さ寸法は、図５に示す個所（ｃ）での高さ寸法よりも高くなる。また、図６における上方側壁部４５ｂの開き角度θ３は、図５に示す個所（ｃ）での開き角度θ２よりも小さくなる。
【００８６】
個所（ｄ）における、ナプキン本体２の肌側表面から頂部４１ａまでの高さ寸法は、２５〜６０ｍｍ程度であることが好ましい。また、前記開き角度θ３は、２０度以上で９０度以下が好ましく、さらに好ましくは３０度以上である。
【００８７】
図７に示すように、隆起部４１のうちの第３の接合領域３３ｃ上に形成されて図６に示すような立体形状となる個所は、肛門５２よりも後方の臀裂部に対向する。臀裂部では、身体の溝が深く、しかも臀部の肌どうしの開き角度が小さくなっている。よって、図６に示すように、幅寸法が小さく、頂部４１ａの高さ寸法が大きく、しかも上方側壁部４５ｂの開き角度θ３の小さい部分が臀裂部の溝内に入り込んで肌に密着しやすくなる。
【００８８】
図１と図２に示す（ｅ）の個所、すなわち第４の接合領域３３ｄ上に位置する隆起部４１の立体形状は、図５に示す個所（ｃ）での立体形状とほぼ同じである。図７に示すように、第４の接合領域３３ｄ上に形成されている隆起部４１は、臀裂部の後部における比較的浅い溝の部分に対向する。
【００８９】
図１と図２に示す（ｆ）の個所は第５の接合領域３３ｅ上に位置し、且つ中央弾性部材３４の後方接続部３４ｂよりも前方である。この部分での隆起部４１の立体形状は、図４に示す個所（ｂ）における立体形状とほぼ同じである。また（ｇ）に示す後方扁平部４３での液透過性シート３１の折り畳み形状は、図３に示す個所（ａ）の前方扁平部４２の形状とほぼ同じである。個所（ｆ）および個所（ｇ）の部分は、図７に示す尾てい骨５３およびその周辺に対向する。尾てい骨５３付近は、臀部の溝が浅くなっており、個所（ｆ）および個所（ｇ）における隆起部４１が、尾てい骨５３付近に密着しやすくなっている。
【００９０】
中央弾性部材３４および側部弾性部材３５は糸状であり、例えば繊度が４２０〜１００００ｄｔｅｘ、好ましくは１８００〜８０００ｄｔｅｘのポリウレタン弾性糸である。あるいは天然ゴムや合成ゴムで形成された糸ゴムなどであってもよい。また、中央弾性部材３４と側部弾性部材３５として、細い弾性糸を束ねたり縒ったものを使用することができ、この場合、個々の弾性部材は、細い弾性糸の繊度の合計が前記範囲内にあればよい。
【００９１】
中央弾性部材３４は、前記前方接続部３４ａと後方接続部３４ｂとの間で、縦方向に１．２倍以上、好ましくは１．５倍以上伸ばされた状態で前記第１の液透過性シート３１ａと第２の液透過性シート３１ｂとの間に接着固定されている。同様に、側部弾性部材３５，３５も、先方接続部３５ａと後方接続部３５ｂとの間で、縦方向に１．２倍以上、好ましくは１．５倍以上伸ばされた状態で前記第１の液透過性シート３１ａと第２の液透過性シート３１ｂとの間に接着固定されている。
【００９２】
前方接続部３４ａと後方接続部３４ｂとの間における中央弾性部材３４の張力と、前方接続部３５ａと後方接続部３５ｂとの間におけるそれぞれの側部弾性部材３５の張力は同じであり、生理用ナプキン１を平坦な状態としたときに、前記張力は０．１〜５．０Ｎ程度が好ましい。前記範囲未満であると自由状態の生理用ナプキン１を図１に示すような湾曲形状にできず、前記範囲を越えると、身体に違和感を与える恐れがある。例えば、生理用ナプキン１が平坦な状態において、中央弾性部材３４および側部弾性部材３５の張力は０．８Ｎ程度である。また、図８に示すように、ナプキン本体２の裏面シート２１を、半径Ｒ＝１１０ｍｍの円筒面７１に設置したときの、前記中央弾性部材３４と側部弾性部材３５の張力は０．６Ｎ程度である。
【００９３】
また、中央弾性部材３４の張力が、それぞれの側部弾性部材３５の張力よりも大きくなるように設定されていてもよい。
【００９４】
表面構成要素３が折り畳まれている状態での折り縁部３ａと折り縁部３ａとの幅寸法（前方扁平部４２と後方扁平部４３の幅寸法）すなわち第１の接合領域３３ａと第２の接合領域３３ｅでの接着剤の塗工幅Ｗ１は、１０〜６０ｍｍの範囲であることが好ましい。この範囲であると、図３に示す前方扁平部４２や、図４に示す立体形状となる隆起部４１が、膣を十分に覆う状態で膣に密着しやすくなる。
【００９５】
図１に示すように、ナプキン本体２の肌側表面には、前記表面シート２３と液吸収層２２を一緒に圧縮して加熱した圧縮線６１が設けられている。この圧縮線６１は、表面構成要素３から横方向に離れた位置に形成され、且つ中央弾性部材３４の前記前方接続部３４ａと同じ位置あるいはそれよりもやや前方位置から、前記後方接続部３４ｂと同じ位置またはそれよりもやや後方の位置まで連続して形成されている。
【００９６】
圧縮線６１は剛性付与要素として機能し、この圧縮線６１を設けることによって、ナプキン本体２が、弾性部材３４および３５の弾性収縮力に対抗する剛性を得ることができる。よって、中央弾性部材３４および側部弾性部材３５の張力が作用したときに、ナプキン本体２に折れが発生しにくくなり、前方接続部３４ａと後方接続部３４ｂとの間において、ナプキン本体２が、縦方向に曲率を有するような湾曲状態を維持しやすくなる。
【００９７】
図３ないし図６に示すように、ナプキン本体２では、前記裏面シート２１の着衣側表面に、下着に固着させるための感圧接着剤層１１が設けられている。前記感圧接着剤層１１は、縦方向中心線Ｏｙの左右両側において前記縦方向中心線Ｏｙと並行に設けられている。前記感圧接着剤層１１は帯状で且つナプキン本体２の全長に渡って設けられている。
【００９８】
また、図示省略するが、前記折り返しフラップ部７，７が形成されている領域、および前記後方フラップ部８，８が形成されている領域においても、前記裏面シート２１の着衣側表面に感圧接着剤層が設けられている。
【００９９】
図８に示す測定治具７０は、半径Ｒ＝１１０ｍｍの凹状の円筒面７１を有している。半径Ｒ＝１１０ｍｍは、年齢２７歳、身長１６８ｃｍ、体重５６ｋｇ、ＢＭＩが１９．８の成人女性の股間部から臀部までの前後方向の湾曲形状の各個所の曲率半径の平均値にほぼ相当している。なお、ＢＭＩとは、（体重（ｋｇ）÷身長（ｍ）２）で求められた数値である。
【０１００】
生理用ナプキン１をその長手方向が円筒面７１の湾曲方向（曲率方向）へ向くようにして、前記感圧接着剤層１１によって着衣側表面を前記円筒面７１に接着固定する。前記隆起部４１では、図１と図２に示す個所（ｄ）、すなわち第３の接合領域３３ｃ上において、ナプキン本体２の肌側表面から頂部４１ａまでの高さ寸法が最大になる。またこの高さ寸法が最大となる個所（ｄ）は、中央弾性部材３４の前方接続部３４ａと後方接続部３４ｂとの中間点である。
【０１０１】
図３ないし図６に基づいて説明した肌側表面から頂部４１ａまでの高さ寸法の好ましい範囲は、図８に示すように、生理用ナプキン１を前記円筒面７１に設置した状態で、隆起部４１の高さ寸法を円筒面７１の半径方向に向けて測定したときの値である。
【０１０２】
また、図８に示すように、円筒面７１の半径方向へ直進する押圧子７２を用いて隆起部４１の反発力を測定した。この押圧子７２は、押圧側の表面が直径３０ｍｍの平坦な円形面である。前記隆起部４１のナプキン本体２の肌側表面からの立ち上がり高さ寸法が最大値Ｈｍａｘとなる箇所、すなわち個所（ｄ）を、前記押圧子７２によって円筒面７１の半径方向へ向けて直線的に速度２０ｍｍ／ｍｉｎで押圧した。
【０１０３】
前記隆起部４１を、ナプキン本体２の肌側表面からの高さが１０ｍｍとなるまで押し込むのに要する力は、０．１〜５Ｎの範囲であることが好ましく、さらに好ましくは０．３〜２．０Ｎの範囲である。また、隆起部４１の頂部４１ａを、無荷重状態のときを起点として円筒面７１に対して垂直に１５ｍｍ押し込むのに要する力が０．３Ｎ以上であると、個所（ｄ）における隆起部４１の頂部４１ａを、臀裂部の奥まで入り込ませやすくなる。
【０１０４】
図６に示すように、個所（ｄ）における隆起部４１の頂部４１ａの幅寸法Ｗａは１〜３ｍｍの範囲であることが好ましい。なお、幅寸法Ｗａの測定個所は、中央弾性部材３４が設けられている部分での隆起部４１の幅寸法である。頂部４１ａの幅寸法が前記範囲内であると、隆起部４１の頂部４１ａが臀裂部の奥まで入りやすくなる。
【０１０５】
前記成人女性を被験者として、肌の開き角度を測定すると、膣口の中心付近で約１００度、肛門付近で約２５〜３５度、臀裂部の後方で４０〜６０度程度である。したがって、前記開き角度θ１、θ２およびθ３が前記範囲であると、隆起部４１が女性の身体の各部位に確実に密着しやすくなる。
【０１０６】
前記生理用ナプキン１を使用するときには、ナプキン本体２の着衣側表面に設けられた感圧接着剤層１１を下着の内面に接着する。また、折り返しフラップ部７，７を下着のクロッチ部の両側縁部から外面に向けて折り返し、折り返しフラップ部７，７の着衣側表面に設けられた感圧接着剤層をクロッチ部の外面に接着する。また後方フラップ部８，８の着衣側表面に設けられた感圧接着剤層を下着の後身頃の下部内面に接着する。
【０１０７】
使用者が前記生理用ナプキン１を下着に固着するときには、折り返しフラップ部７，７の中心位置（前記膣対向基準線Ｘ１）を位置決めの目安とし、前記中心位置がほぼ膣５１の前後方向での中心部に一致するように着用される。
【０１０８】
前記隆起部４１は、中央弾性部材３４と側方弾性部材３５、および軟質な第１の液透過性シート３１ａと第２の液透過性シート３１ｂで形成され、さらに隆起部４１の内部が空洞であるために、その断面形状が、股間部の溝の形状および臀裂の形状に対応して自由に変形できる。そして、前記のように、隆起部４１の各個所が、膣５１、肛門５２、臀裂部および尾てい骨５３付近のそれぞれの形状に対応して密着しやすくなる。
【０１０９】
膣口から出た経血は、前記液透過性シート３１ａ，３１ｂの繊維間を自重で通過し、その下に位置する液吸収層２２の親水力によって速やかに吸収保持される。就寝時などにおいて、膣口から後方へ流れようとする経血は、まず肛門５２付近に密着している隆起部４１によって捕捉され、さらに臀裂部に沿って後方へ移行しようとする経血も、臀裂部に密着している前記隆起部４１によって捕捉される。前記隆起部４１に与えられた経血は、この隆起部４１を形成している液透過性シート３１ａ，３１ｂを通過しまたは前記液透過性シート３１ａ，３１ｂを伝わってナプキン本体２の肌側表面に移行し、液吸収層２２によって速やかに吸収されて保持される。したがって、経血は臀部方向において生理用ナプキン１の外部に洩れ出にくくなる。
【０１１０】
次に、本発明の生理用ナプキンの他の実施の形態を説明する。
以下の各実施の形態において、ナプキン本体や表面構成要素および隆起部の好ましい寸法や物性の好ましい範囲は、いずれも第１の実施の形態と同じであるため、詳細な説明は省略する。
【０１１１】
図９（Ａ）（Ｂ）は、前記第１の実施の変形例を示すものであり、いずれもナプキン本体２を平面形状に展開した状態を示す平面図である。
【０１１２】
図９（Ａ）に示す変形例では、前方に位置する第１の接合領域１３３ａにおける接着剤の塗工幅Ｗ１が、図２に示す第１の接合領域３３ａと同じであり、後方に位置する第３の接合領域１３３ｃにおける接着剤の塗工幅Ｗ５が、図２に示す第５の接合領域３３ｅにおける塗工幅と同じである。
【０１１３】
図９（Ａ）では、中間に位置する第２の接合領域１３３ｂにおける接着剤の塗工幅が、前記第１の接合領域１３３ａから後方に向かうにしたがって徐々に連続的に狭くなり、さらに第３の接合領域１３３ｃに向かうにしたがって徐々に広くなるように連続的に幅寸法が変化する。第２の接合領域１３３ｂにおいて、最も幅寸法の狭くなる部分１３３ｄは、図２に示す（ｄ）の個所に相当している。そしてこの部分１３３ｄの幅寸法Ｗ３は、図２における第３の接合領域３３ｃの塗工幅と同じである。
【０１１４】
図９（Ａ）に示す変形例では、ナプキン本体２の肌側表面に固定される表面構成要素３により形成される隆起部４１の立体形状が、第１の接合領域１３３ａから後方に向かうにしたがって、幅寸法が徐々に狭くなり且つ高さ寸法が徐々に高くなる。部分１３３ｄにおいて幅寸法が最小で高さ寸法が最大になり、それよりも後方では、幅寸法が徐々に広くなり且つ高さ寸法が徐々に低くなる。
【０１１５】
そして、部分１３３ｄにおいて幅寸法が最小で且つ高さ寸法が最大となる部分において、隆起部４１が臀裂部の溝の深い位置に対向できるようになる。
【０１１６】
図９（Ａ）に示す変形例では、隆起部４１の立ち上がり基端の横方向の距離が、徐々に変化するため、表面構成要素３がナプキン本体２の肌側表面から剥がれ難い。
【０１１７】
図９（Ｂ）に示す変形例では、ナプキン本体２の肌側表面に、図２に示したのと同じ第１の接合領域３３ａ、第２の接合領域３３ｂ、第４の接合領域３３ｄおよび第５の接合領域３３ｅが形成されている。ただし、第２の接合領域３３ｂと第４の接合領域３３ｄとの間は、接着剤が設けられていない非接合領域３３ｆとなっている。この非接合領域３３ｆは、図２に示す第３の接合領域３３ｃの長さと同じ範囲に設けられている。
【０１１８】
図９（Ｂ）に示すナプキン本体２の肌側表面に表面構成要素３が接着固定されると、第１の接合領域３３ａ、第２の接合領域３３ｂ、第４の接合領域３３ｄおよび第５の接合領域３３ｅにおいて、扁平部４２，４３の形状および、隆起部４１の立ち上がり基端の位置および隆起部４１の立体形状が、図３ないし図５に示した第１の実施の形態と同じである。
【０１１９】
しかし、図９（Ｂ）に示す、非接合領域３３ｆでは、図６に示したのと同様に幅寸法が狭く且つ高さ寸法の大きい隆起部４１の部分が、ナプキン本体２上で拘束されずに独立して自由に動けるようになる。よって、隆起部４１のこの部分が女性の身体の臀裂部に入り込んで密着した状態において、身体の動きに伴って下着が変形し、ナプキン本体２が横方向へ動いたとしても、隆起部４１が臀裂部内に密着した状態に維持しやすくなる。
【０１２０】
なお、図２に示す接合領域の変形例として、第２の接合領域３３ｂ、第３の接合領域３３ｃおよび第４の接合領域３３ｄにおける接着剤の塗工領域の幅寸法が均一であってもよい。
【０１２１】
また、ナプキン本体２に表面構成要素３を固定する手段は、前記のようなホットメルト型接着剤による接着固定に限定されるものではなく、表面構成要素３とナプキン本体２とが熱融着などで接合されていてもよい。この場合には、隆起部４１の立ち上がり基端の横方向の間隔が、前記各実施の形態の塗工幅と同様に変化していればよい。
【０１２２】
図１０は、本発明の前記第１の実施の形態のさらに他の変形例を示す断面図であり、図６に示す個所（ｄ）での断面形状に相当している。
【０１２３】
図１０に示す生理用ナプキン１０１では、ナプキン本体１０２の表面シート１２３が、第１の液透過性シート１２３ａと第２の液透過性シート１２３ｂとの接合シートにより構成されている。液吸収層２２の上に位置する立ち上がり基端１４４から横方向の外方において、表面シート１２３が、液吸収層２２の肌側表面に接着固定され、さらに液吸収層２２の側端部２２ｃよりも外側においては、裏面シート２１に接合されている。
【０１２４】
そして、前記立ち上がり基端１４４と立ち上がり基端１４４との間において、表面シート１２３の一部が液吸収層２２の肌側表面から離れており、表面シート１２３の前記部分により表面構成要素１０３が形成されている。立ち上がり基端１４４の横方向の間隔は、図２および図９（Ａ）（Ｂ）のそれぞれの接合領域における接着剤の塗工幅Ｗ１ないしＷ５などと同様に場所によって変化している。
【０１２５】
また、第１の液透過性シート１２３ａと第２の液透過性シート１２３ｂとの間に、中央弾性部材３４が挟まれて接着固定されており、中央弾性部材３４が設けられている部分が、隆起部１４１の頂部４１ａとなっている。図１０に示す変形例では、側部弾性部材３５が設けられていないが、この側部弾性部材３５が設けられていてもよい。
【０１２６】
図１０に示す変形例では、表面構成要素１０３で形成される前方扁平部と後方扁平部および隆起部１４１の幅寸法と高さ寸法とが、第１の実施の形態および図９に示す変形例と同様に変化する。また、隆起部１４１の真下に液吸収層２２が位置しているので、隆起部４１を透過した経血などが液吸収層２２に直ちに吸収されるようになる。
【０１２７】
図１１（Ａ）は、本発明の第２の実施の形態の生理用ナプキン２０１を示す斜視図、図１１（Ｂ）は前記生理用ナプキン２０１の側面図、図１２は図１１（Ａ）のＸＩＩ−ＸＩＩ線での断面図、図１３は図１１（Ａ）のＸＩＩＩ−ＸＩＩＩ線での断面図である。
【０１２８】
第２の実施の形態でのナプキン本体２０２の構造は第１の実施の形態のナプキン本体２と同じである。ただし、ナプキン本体２０２では、折り返しフラップ部７，７が設けられていない。
【０１２９】
表面構成要素２０３は、液透過性シートで形成され、表面構成要素２０３には、縦方向中心線に沿って中央弾性部材３４が設けられている。中央弾性部材３４は前端部３４ｃと前方接続部３４ａとの間の部分が、ナプキン本体２０２の肌側表面に離れないように接合されている。そして、前方接続部３４ａよりも後方部分がナプキン本体２０２から離れている。
【０１３０】
表面構成要素２０３とのナプキン本体２０２との接合幅は、図１２に示すように前方で広く、図１３に示すように後方に向かうにしたがって徐々に狭くなっている。そして表面構成要素２０３の後端部には、ナプキン本体２０２から立ち上がる補強部材２０５が部分的に設けられており、表面構成要素２０３の後端部２０３ａおよび、中央弾性部材３４の後端部３４ｄは、前記補強部材２０５に接合されている。前記補強部材２０５は、親水性が好ましく、例えばパルプを圧縮してバインダーで固定したエアーレイドパルプ、前記エアーレイドパルプにレーヨンなどの親水性繊維が含まれたもの、圧縮パルプ、親水性の発泡樹脂シートなどのように、身体からの圧力を受けたときに自由に変形できる素材で形成されている。
【０１３１】
この生理用ナプキン２０１では、図１２に示すように前方において、表面構成要素２０３で形成される隆起部２４１の立ち上がり基端２４４ａの横方向の間隔が広く、且つ中央弾性部材３４の弾性張力によって持ち上げられる頂部２４１ａの高さ寸法が低い。また図１３に示すように、後方では隆起部２４１の立ち上がり基端２４４ｂの横方向の間隔が狭く、頂部２４１ａの立ち上がり高さ寸法が高くなる。
【０１３２】
この生理用ナプキン２０１は、図１２に示すように、隆起部２４１の前方部分が幅広で且つ低いために膣付近に密着しやすく、図１３に示すように、隆起部２４１の後方部分が幅細で高いために、この部分が肛門から臀裂部などに密着しやすくなる。
【０１３３】
図１４（Ａ）は、本発明の第３の実施の形態の生理用ナプキン３０１を示す斜視図、図１４（Ｂ）は前記生理用ナプキン３０１の側面図、図１５は図１４（Ａ）のＸＶ−ＸＶ線での断面図、図１６は図１４（Ａ）のＸＶＩ−ＸＶＩ線での断面図である。
【０１３４】
第３の実施の形態の生理用ナプキン３０１のナプキン本体２０２は、図１１に示した第２の実施の形態のナプキン本体と同じものである。
【０１３５】
第３の実施の形態の表面構成要素３０３は、図１１に示した表面構成要素２０３と類似したものであり、後端部にはナプキン本体２０２から立ち上がる補強部材２０５が設けられている。また表面構成要素３０３に中央弾性部材３４が設けられており、この中央弾性部材３４は前方接続部３４ａから前記補強部材２０５までの範囲で、ナプキン本体２０２から離れた位置で縦方向に弾性張力を発揮している。
【０１３６】
また、表面構成要素３０３の前方には、ナプキン本体２０２の両側縁部に近い位置に縦方向に延びる側部弾性部材３５，３５が設けられている。この側部弾性部材３５は、表面構成要素３０３を構成する液透過性シートに接合されており、その前端と後端がナプキン本体２０２に接合され、中間部分がナプキン本体２０２から離れている。
【０１３７】
また、図１５に示すように、表面構成要素３０３の前方部分は、幅広い範囲でナプキン本体２０２に接合されており、その接合幅は後方に向かうにしたがって徐々に狭くなっている。
【０１３８】
この生理用ナプキン３０１では、図１５に示すように前方部分においては、隆起部３４１の立ち上がり基端３４４ａ，３４４ａの横方向の間隔が広く、また側部弾性部材３５，３５が、その張力によりナプキン本体２０２から離れ、隆起部３４１の前方には、両側部に縦方向に延びる側部頂部３４１ｂ，３４１ｂが形成されている。
【０１３９】
図１６に示すように、後方部分では、隆起部３４１の立ち上がり基端３４４ｂ，３４４ｂの横方向の間隔が狭くなり、中央弾性部材３４の弾性張力により、中央頂部３４１ａがナプキン本体２０２の肌側表面から高く離れた位置に形成される。
【０１４０】
この生理用ナプキン３０１も、図１５に示すように、幅広で側部頂部３４１ｂ，３４１ｂの高さの低い部分で隆起部３４１が膣周辺に密着しやすく、図１６に示すように、後方において幅が狭く高さ寸法の大きい隆起部３４１が臀裂部の溝尾内などに密着しやすくなる。
【０１４１】
図１７は、本発明の第４の実施の形態の生理用ナプキン４０１の自由状態を示す斜視図、図１８は図１７のＸＶＩＩＩ−ＸＶＩＩＩ線の断面図、図１９は図１７のＸＩＸ−ＸＩＸ線の断面図である。
【０１４２】
この生理用ナプキン４０１のナプキン本体２は、第１の実施の形態の生理用ナプキン１と同じものである。
【０１４３】
表面構成要素４０３は、第１の実施の形態と同じ、第１の液透過性シート３１ａと第２の液透過性シート３１ｂとが積層された液透過性シート３１により構成されている。図１８に示すように、表面構成要素４０３とナプキン本体２との接合幅寸法は、前方において広く、また後方においても同様に広くなっている。また、前記接合幅は中間に向かって徐々に狭くなっており、図１９に示すように、図２の（ｄ）の個所に相当する位置で前記接合幅寸法が最小となっている。
【０１４４】
前記第１の液透過性シート３１ａと第２の液透過性シート３１ｂとの間には、弾性部材４３４および弾性部材４３５が１．２倍または１．５倍以上に延ばされた状態で接合されている。
【０１４５】
図１７に示すように、弾性部材４３４は、前方接続部４３４ａと後方接続部４３４ｂとの間において、ナプキン本体２から離れており、同様に弾性部材４３５は、前方接続部４３５ａと後方接続部４３５ｂとの間においてナプキン本体２から離れている。弾性部材４３４の前方接続部４３４ａと、弾性部材４３５の前方接続部４３５ａは横方向に離れた位置にある。弾性部材４３４と４３５は後方に向かうにしたがって斜めに延び、図２に示す（ｄ）の個所に相当する位置で互いに交叉している。そして、弾性部材４３４の後方接続部４３４ｂと弾性部材４３５の後方接続部４３５ｂは、ナプキン本体２の後方において横方向に間隔を開けて配置されている。
【０１４６】
そして、弾性部材４３４と弾性部材４３５の弾性張力により、ナプキン本体２が湾曲させられている。そして、前記前方接続部４３４ａ，４３５ａと後方接続部４３４ｂ，４３５ｂとの間で、液透過性シート３１がナプキン本体２から持ち上げられて、隆起部４４１が形成されている。
【０１４７】
その結果、図１８に示すように、生理用ナプキン４０１の前方部分では、隆起部４４１の立ち上がり基端４４４ａと４４４ａの横方向の間隔が広く、また弾性部材４３４と４３５が横方向に離れて位置しているため、隆起部４４１の立ち上がり寸法が低くなっている。また、生理用ナプキン４０１の後方部分での隆起部４４１の立体形状も、図１８とほぼ同じである。
【０１４８】
弾性部材４３４と弾性部材４３５が交叉する個所に向かうにしたがって、隆起部４４１の立ち上がり基端４４４ｂ，４４４ｂの横方向の間隔が狭くなり、隆起部４４１の立ち上がり寸法が大きくなる。そして、前記（ｄ）の個所に相当する位置において、図１９に示すように、隆起部４４１は、ほぼ三角形となり、幅細で高いものとなる。
【０１４９】
この生理用ナプキン４０１も、第１の実施の形態と同様に、隆起部４４１は前方と後方において幅広で且つ低いために、膣およびその周辺や尾てい骨またはその周辺に密着しやすくなる。また臀裂部に対向する部分では、図１９に示すように、幅細で高く且つ鋭角な形状となるため、臀裂部などに密着しやすくなる。
【０１５０】
図２０は本発明の第５の実施の形態の生理用ナプキン５０１を自由状態で示す斜視図、図２１は図２０のＸＸＩ−ＸＸＩ線の断面図、図２２は図２０のＸＸＩＩ−ＸＸＩＩ線の断面図、図２３は図２０のＸＸＩＩＩ−ＸＸＩＩＩ線の断面図である。
【０１５１】
第５の実施の形態の生理用ナプキン５０１のナプキン本体２は、前記第１の実施の形態の生理用ナプキン１と同じものである。
【０１５２】
表面構成要素５０３は液透過性シート３１により構成されている。この液透過性シートは、前記のように第１の液透過性シート３１ａと第２の液透過性シート３１ｂとが積層されたものであり、あるいは１枚のスルーエア不織布などで形成されている。
【０１５３】
表面構成要素５０３には、縦方向中心線上に沿って中央弾性部材３４が設けられ、左右両側部に側部弾性部材３５，３５が設けられている。図２０に示すように、中央弾性部材３４の前方接続部３４ａと、側部弾性部材３５の前方接続部３５ａは、折り返しフラップ部７よりもやや前方に位置している。中央弾性部材３４の後方接続部３４ｂは、後縁部５に近い位置にあり、側部弾性部材３５の後方接続部３５ｂは、それぞれ前記中央弾性部材３４の後方接続部３４ｂよりもやや前方に位置している。
【０１５４】
図２１に示すように、前記前方接続部３４ａ，３５ａよりも前方では、表面構成要素５０３を構成する液透過性シート３１が折り畳まれて、ナプキン本体２の肌側表面から離れない前方扁平部５４２が形成されている。図２０に示すように、中央弾性部材３４の後方接続部３４ｂよりも後方においても液透過性シート３１が折り畳まれて後方扁平部５４３が形成されている。
【０１５５】
図２の（ｂ）から（ｃ）の個所に相当する付近では、図２２に示すように、表面構成要素５０３とナプキン本体２との接合幅寸法が広くなっており、内部に親水性素材５２２またはクッション素材が収納されている。親水性素材５２２は、エアーレイドパルプまたはパルプ積層体、あるいは親水性不織布や紙の積層体などであり、それ自体が液を吸収する能力を有し、且つナプキン本体２の液吸収層２２に液を移行できる素材で形成されている。あるいは、親水性素材５２２の代わりにクッション素材を収納することができる。このクッション素材やスルーエア不織布などのように低密度で弾性を有するものであり、経血などが自重で下降して液吸収層２２に移行しやすいものである。
【０１５６】
図２２に示す個所では、隆起部５４１の立ち上がり基端５４４ａ，５４４ａの横方向の間隔が広く、その高さ寸法が低くなっている。親水性素材５２２やクッション素材が設けられている隆起部５４１の部分は主に膣およびその周辺に対向できる位置に設けられている。
【０１５７】
図２３に示すように、折り返しフラップ部７，７よりも後方で、図２に示す（ｃ）の個所よりも後方では、表面構成要素５０３とナプキン本体２との接合幅寸法が図２２よりも狭くなり、表面構成要素５０３の内部が空洞になる。よって、図２３に示すように、隆起部５４１は、立ち上がり基端５４４ｂ，５５４ｂの横方向の間隔が狭く、また中央弾性部材３４の弾性張力によって頂部５４１ａが、ナプキン本体２から離れた高い位置となる。
【０１５８】
この生理用ナプキン５０１では、図２２に示すように幅広で高さが低く、しかも内部に親水性素材５２２やクッション素材が設けられた隆起部５４１の部分が膣およびその周辺に密着する。この部分はクッション性を有しているため、膣に対してソフトに密着できるようになる。そして、図２３に示すように、幅が細く縦長であり内部が空洞となっている隆起部５４１の部分が臀裂部などの深い溝内に密着しやすくなる。
【０１５９】
図２４は本発明の第６の実施の形態の生理用ナプキン６０１の自由状態を示す斜視図、図２５は図２４のＸＸＶ−ＸＸＶ線の断面図、図２６は図２４のＸＸＶＩ−ＸＸＶＩ線の断面図である。
【０１６０】
図２５と図２６に示すように、この生理用ナプキン６０１のナプキン本体６０２は、裏面シート２１と液吸収層２２および表面シート６２３を有している。前縁部４および後縁部５では、表面シート６２３が液吸収層２２の肌側表面に接着されているが、前縁部４と後縁部５を除いた部分では、図２５および図２６に示すように、表面シート６２３は、液吸収層２２の両側端部２２ｃ，２２ｃに接着され且つその外側では裏面シート２１に接着されている。そして、表面シート６２３は液吸収層２２の肌側表面に接着されておらず、肌側表面から離れることが可能となっている。
【０１６１】
生理用ナプキン６０１の前方部分では、図２５に示すように、側部弾性部材３５，３５が縦方向において所定の長さの範囲に設けられている。側部弾性部材３５は横方向に間隔を開けて配置されており。その前方接続部と後方接続部との間で縦方向の弾性収縮力を発揮し、液吸収層２２の肌側表面から離れることができるようになっている。そして側部弾性部材３５，３５が設けられている部分に、隆起部６４１の側部頂部６４１ｂ，６４１ｂが形成される。
【０１６２】
生理用ナプキン６０１の後方部分では、縦方向中心線の位置に中央弾性部材３４が設けられている。この中央弾性部材３４はその前部の一部が側部弾性部材３５と重なる位置に配置されている。そして中央弾性部材３４はその前方接続部と後方接続部との間で、縦方向に弾性収縮力を発揮し、液吸収層２２の肌側表面から離れている。
【０１６３】
よって、生理用ナプキン６０１の後方部分では、中央弾性部材３４が設けられている部分が中央頂部６４１ａとなる。
【０１６４】
図２５と図２６に示すように、表面シート６２３の裏側には補強部材６０５が設けられており、中央弾性部材３４および側部弾性部材３５は前記補強部材６０５で覆われている。補強部材６０５は親水性の素材または液透過性の素材で剛性を有するものであり、例えば、エアーレイドパルプ、開口を有する樹脂フィルム、紙材、またはスルーエア不織布などで形成されている。
【０１６５】
前記補強部材６０５が設けられていると、図２５に示すように前方部分では、側部頂部６４１ｂと側部頂部６４１ｂとの間で表面シート６２３が平面形状を保ちやすくなる。また図２６に示すように、後方では、隆起部６４１の三角形状を保ちやすくなる。
【０１６６】
この生理用ナプキン６０１は、前方から後方にかけて、隆起部６４１の立ち上がり基端６４４が、液吸収層２２の両側端部２２ｃの位置にあり、立ち上がり基端６４４の横方向の間隔は、前後において変化していない。しかし、折り返しフラップ部７，７およびそれよりも前方位置、すなわち図２の（ｂ）から（ｃ）の個所付近では、図２５に示すように隆起部６４１が幅広で且つ低いものとなるため、膣およびその周辺に密着しやすくなる。また図２における（ｃ）の個所に相当する位置よりも後方では、図２６に示すように、隆起部６４１の中央頂部６４１ａが高い位置となり、且つ隆起部６４１の上部が角度を有するために、肛門付近から臀裂部に密着しやすくなる。
【０１６７】
なお、前記各実施の形態では、各隆起部をナプキン本体の肌側表面から持ち上げるために、隆起部に弾性糸などの中央弾性部材３４や側部弾性部材３５を設けている。しかし、前記弾性部材は、帯状のものであってもよい。あるいは前記中央弾性部材３４や側部弾性部材３５を設けずに、隆起部を構成する液透過性シートそのものに弾性収縮力を持たせてもよい。例えば液透過性シートは、伸縮性不織布や、内部に弾性糸を含んだ不織布などで形成される。
【図面の簡単な説明】
【０１６８】
【図１】本発明の第１の実施の形態の生理用ナプキンの自由状態を示す斜視図、
【図２】前記第１の実施の形態の生理用ナプキンのナプキン本体を平面状に展開した状態を肌側表面から示す平面図、
【図３】図１のＩＩＩ−ＩＩＩ線の断面図、
【図４】図１のＩＶ−ＩＶ線の断面図、
【図５】図１のＶ−Ｖ線の断面図、
【図６】図１のＶＩ−Ｖ線Ｉの断面図、
【図７】前記生理用ナプキンが身体に装着された状態を示す縦断面図、
【図８】前記生理用ナプキンの隆起部の立ち上がり寸法および隆起部の立ち上がり弾性力を測定する方法の説明図、
【図９】（Ａ）（Ｂ）は、第１の実施の形態の変形例となるナプキン本体を示す平面図、
【図１０】第１の実施の形態のさらに他の変形例を示す断面斜視図、
【図１１】（Ａ）は本発明の第２の実施の形態の生理用ナプキンの斜視図、（Ｂ）はその側面図、
【図１２】図１１（Ａ）のＸＩＩ−ＸＩＩ線の断面図、
【図１３】図１１（Ａ）のＸＩＩＩ−ＸＩＩＩ線の断面図、
【図１４】（Ａ）は本発明の第３の実施の形態の生理用ナプキンの斜視図、（Ｂ）はその側面図、
【図１５】図１４（Ａ）のＸＶ−ＸＶ線の断面図、
【図１６】図１４（Ａ）のＸＶＩ−ＸＶＩ線の断面図、
【図１７】本発明の第４の実施の形態の生理用ナプキンの自由状態を示す斜視図、
【図１８】図１７のＸＶＩＩＩ−ＸＶＩＩＩ線の断面図、
【図１９】図１７のＸＩＸ−ＸＩＸ線の断面図、
【図２０】本発明の第５の実施の形態の生理用ナプキンの自由状態を示す斜視図、
【図２１】図２０のＸＸＩ−ＸＸＩ線の断面図、
【図２２】図２０のＸＸＩＩ−ＸＸＩＩ線の断面図、
【図２３】図２０のＸＸＩＩＩ−ＸＩＩＩ線の断面図、
【図２４】本発明の第６の実施の形態の生理用ナプキンの自由状態を示す斜視図、
【図２５】図２４のＸＸＶ−ＸＸＶ線の断面図、
【図２６】図２４のＸＸＶＩ−ＸＸＶＩ線の断面図、
【符号の説明】
【０１６９】
１  生理用ナプキン
２  ナプキン本体
３  表面構成要素
２１  裏面シート
２２  液吸収層
２３  表面シート
３１  液透過性シート
３１ａ  第１の液透過性シート
３１ｂ  第２の液透過性シート
３２  接合部
３３ａ  第１の接合領域
３３ｂ  第２の接合領域
３３ｃ  第３の接合領域
３３ｄ  第４の接合領域
３３ｅ  第５の接合領域
３４  中央弾性部材
３４ａ  前方接続部
３４ｂ  後方接続部
３５  側部弾性部材
３５ａ  前方接続部
３５ｂ  後方接続部
４１  隆起部
４１ａ  頂部
４２  前方扁平部
４３  後方扁平部
４４ａ，４４ｂ，４４ｃ  立ち上がり基端
４５ａ  側壁部
４５ｂ  上方側壁部
４５ｃ  下方側壁部
５１  圧縮線
Ｘ１  膣対向基準線
Ｘ２  肛門対向基準線
Ｘ３  尾てい骨対向基準線
【図１】
2006181218.tif 000003
【図２】
2006181218.tif 000004
【図３】
2006181218.tif 000005
【図４】
2006181218.tif 000006
【図５】
2006181218.tif 000007
【図６】
2006181218.tif 000008
【図７】
2006181218.tif 000009
【図８】
2006181218.tif 000010
【図９】
2006181218.tif 000011
【図１０】
2006181218.tif 000012
【図１１】
2006181218.tif 000013
【図１２】
2006181218.tif 000014
【図１３】
2006181218.tif 000015
【図１４】
2006181218.tif 000016
【図１５】
2006181218.tif 000017
【図１６】
2006181218.tif 000018
【図１７】
2006181218.tif 000019
【図１８】
2006181218.tif 000020
【図１９】
2006181218.tif 000021
【図２０】
2006181218.tif 000022
【図２１】
2006181218.tif 000023
【図２２】
2006181218.tif 000024
【図２３】
2006181218.tif 000025
【図２４】
2006181218.tif 000026
【図２５】
2006181218.tif 000027
【図２６】
2006181218.tif 000028